(57)【要約】【課題】  浴槽に浸して使用するのみで、天然温泉の場合と同じような温浴効果を得ることのできる浴槽用シートを提供する。【解決手段】  ジルコン等の白色系遠赤外線放射材料の粉末と、遠赤外線放射エネルギー源となる放射性鉱物で、酸化トリウムを含有するモナザイト等の放射線源材料の粉末とを混合して焼成し、複合化した遠赤外線放射体の粉末を、ゴム等の高分子ポリマーに混練りしてシート状に形成する。表面の全体または一部に凹凸模様１１や粗目模様１２を形成する。また、多数の貫通孔１３を表裏方向に形成する。【選択図】  図２
0003121044.tif 000002
【実用新案登録請求の範囲】
【請求項１】
入浴時に浴槽（１）内に浸して使用するシートであって、ジルコン等の白色系遠赤外線放射材料の粉末と，遠赤外線放射エネルギー源となる放射性鉱物で，酸化トリウムを含有するモナザイト等の放射線源材料の粉末とを混合して焼成し，複合化した遠赤外線放射体の粉末を，ゴム等の高分子ポリマーに混練りしてシート状に形成してなる浴槽用シート。
【請求項２】
入浴時に浴槽（１）内に浸して使用するシートであって、ジルコン等の白色系遠赤外線放射材料の粉末と，遠赤外線放射エネルギー源となる放射性鉱物で，酸化トリウムを含有するモナザイト等の放射線源材料の粉末とを混合して焼成し，複合化した遠赤外線放射体の粉末を，ゴム等の高分子ポリマーに混練りしてシート状に形成し、表面の全体または一部に凹凸模様（１１）を形成してなる浴槽用シート。
【請求項３】
入浴時に浴槽（１）内に浸して使用するシートであって、ジルコン等の白色系遠赤外線放射材料の粉末と，遠赤外線放射エネルギー源となる放射性鉱物で，酸化トリウムを含有するモナザイト等の放射線源材料の粉末とを混合して焼成し，複合化した遠赤外線放射体の粉末を，ゴム等の高分子ポリマーに混練りしてシート状に形成し、表面の全体または一部を粗目模様（１２）としてなる浴槽用シート。
【請求項４】
多数の貫通孔（１３）を表裏方向に形成してなる請求項１，２または３に記載の浴槽用シート。
【請求項５】
シートを発泡形成してなる請求項１，２または３に記載の浴槽用シート。
【考案の詳細な説明】
【技術分野】
【０００１】
本考案は、血行促進などの温浴効果を高めるために、浴槽に浸して使用するシートに関するものである。
【背景技術】
【０００２】
従来から、主として一般家庭においては、血行促進などの温浴効果を得るためにあらゆる種類の入浴剤を浴槽に添加している。
【考案の開示】
【考案が解決しようとする課題】
【０００３】
しかし、これらの入浴剤は一定の温浴効果はあるものの、天然温泉の場合と比較すると、必ずしも満足できるものではない。
【０００４】
本考案はこうした問題に鑑み創案されたもので、浴槽に浸して使用するのみで、天然温泉の場合と同じような温浴効果を得ることのできる浴槽用シートを提供することを課題とする。
【課題を解決するための手段】
【０００５】
図１乃至図４を参照して説明する。請求項１に記載の浴槽用シート１０は、入浴時に浴槽１内に浸して使用するシートであって、ジルコン等の白色系遠赤外線放射材料の粉末と、遠赤外線放射エネルギー源となる放射性鉱物で、酸化トリウムを含有するモナザイト等の放射線源材料の粉末とを混合して焼成し、複合化した遠赤外線放射体の粉末を、ゴム等の高分子ポリマーに混練りしてシート状に形成してなるものである。
【０００６】
請求項２に記載の浴槽用シート１０は、入浴時に浴槽１内に浸して使用するシートであって、ジルコン等の白色系遠赤外線放射材料の粉末と、遠赤外線放射エネルギー源となる放射性鉱物で、酸化トリウムを含有するモナザイト等の放射線源材料の粉末とを混合して焼成し、複合化した遠赤外線放射体の粉末を、ゴム等の高分子ポリマーに混練りしてシート状に形成し、表面の全体または一部に凹凸模様１１を形成してなるものである。
【０００７】
ここで言う「凹凸模様１１」は、その形状を限定するものではなく、例えば、クレープ調や三角ピラミッド調、さらには縦溝と横溝を組み合わせた格子状を含む。
【０００８】
請求項３に記載の浴槽用シート１０は、入浴時に浴槽１内に浸して使用するシートであって、ジルコン等の白色系遠赤外線放射材料の粉末と、遠赤外線放射エネルギー源となる放射性鉱物で、酸化トリウムを含有するモナザイト等の放射線源材料の粉末とを混合して焼成し、複合化した遠赤外線放射体の粉末を、ゴム等の高分子ポリマーに混練りしてシート状に形成し、表面の全体または一部を粗目模様１２としてなるものである。
【０００９】
請求項４に記載の浴槽用シート１０は、請求項１，２または３に記載の考案において、多数の貫通孔１３を表裏方向に形成してなるものである。
【００１０】
請求項５に記載の浴槽用シート１０は、請求項１，２または３に記載の考案において、シートを発泡形成してなるものである。
【考案の効果】
【００１１】
請求項１に記載の浴槽用シート１０は、白色系遠赤外線放射材料の粉末と、遠赤外線放射エネルギー源となる放射性鉱物で、酸化トリウムを含有する放射線源材料の粉末とを混合して焼成し、複合化した遠赤外線放射体の粉末を、ゴム等の高分子ポリマーに混練りしてシート状に形成したので、遠赤外線と、酸化トリウムのトリウム元素が放出するトロンによって温浴効果を高めることができる。
【００１２】
すなわち、遠赤外線放射線材料に、トリウムの放射性崩壊によって放出される放射線（特にα線）のエネルギーが吸収されて、その励起エネルギーとなり、遠赤外線となって放射される。従って、遠赤外線放射材料からより多量の遠赤外線が放射され、その温熱効果によって血行を促進して身体を芯まで温め、温浴効果をより高めることができる。
【００１３】
また、浴槽１の温水Ｗは、通常の水と同様に、その水分子がクラスターと呼ばれる多数の水分子の集合体として存在しているが、これに遠赤外線が照射されると当該クラスターが小さくなり、表面張力の減少、浸透圧の増加、水素イオン濃度の弱アルカリ移行などが行われ、血行の促進がさらに図られ、健康増進につながる。従って、温浴効果をさらに高めることができる。同時に、この遠赤外線によって浴槽１の温水Ｗの浄化も行われるので、温浴効果がさらに増進される。
【００１４】
さらに、酸化トリウムのトリウム元素が放出するトロンの作用によって浴槽１の温水Ｗは大量のミネラルを含んだいわゆるトロン湯となり、優れた温熱効果によって身体の隅々まで温めて温浴効果を促進する。従って、例えば、神経痛、肩こり、冷え性、痔、腰痛、うちみ、しもやけ、疲労回復などに効果的である。同時に、人体の痛みを和らげるといった温浴効果も併せて発揮する。
【００１５】
なお、本考案は白色系の遠赤外線放射材料を使用しているが、これは、被放射物が水や有機化合物の場合は、有色系より白色系の方が放射率が高いことによるものである。ちなみに、放射率がやや低下するものの、白色系以外の遠赤外線放射材料を使用することもできる。
【００１６】
請求項２に記載の温浴用シートは、請求項１に記載の考案と同様に、遠赤外線と酸化トリウムから放出されるトロンのはたらきによって、温浴効果を高めることができる。
【００１７】
また、この温浴用シートは、表面の全体または一部に凹凸模様１１を形成しているので、当該温浴用シートの表面積を大きくして、より広い面積を浴槽１の温水Ｗに接触させることができる。これにより、より大量の遠赤外線とトロンを浴槽１の温水Ｗに放出することができ、温浴効果をさらに高めることができる。
【００１８】
請求項３に記載の温浴用シートは、請求項１に記載の考案と同様に、遠赤外線とトロンのはたらきによって、温浴効果を高めることができる。
【００１９】
また、表面の全体をまたは一部を粗目模様１２としたので、当該温浴用シートの表面積を大きくして、より広い範囲を浴槽１の温水Ｗに接触させることができる。これにより、より大量の遠赤外線とトロンを温水Ｗに放出して温浴効果をさらに高めることができる。
【００２０】
請求項４に記載の温浴用シートは、請求項１乃至３に記載の考案と同様に、温浴効果をより高めることができる。また、多数の貫通孔１３を表裏方向に形成しているので、当該浴槽用シート１０の表面積をより広く形成することができ、これによってより広い範囲を浴槽１の温水Ｗに接触させて、より大量の遠赤外線とトロンを放出することができる。その結果、温浴効果をより高めることができる。
【００２１】
また、貫通孔１３を形成したことで、浴槽１の温水Ｗがその貫通孔１３を通過するので当該温水Ｗの対流を促し、結果的に当該浴槽用シート１０が効果的に浴槽１の温水Ｗに接触する。よって、より大量の遠赤外線とトロンを浴槽１の温水Ｗに放出することができ、さらに温浴効果を高めることができる。
【００２２】
請求項５に記載の温浴用シートは、請求項１乃至３に記載の考案に比べ、気泡によって肌触りを向上し、温浴効果を一層高めることが出来る。
【考案を実施するための最良の形態】
【００２３】
本考案に係る浴槽用シート１０の実施形態を、図１および図２に示す。これは、入浴時に浴槽１内に浸して使用するシートであって、ジルコンである白色系遠赤外線放射材料の粉末と、遠赤外線放射エネルギー源となる放射性鉱物で、酸化トリウムを含有するモナザイトである放射線源材料の粉末とを混合して焼成し、複合化した遠赤外線放射体の粉末を、ゴム材に混練りして肉薄で平面矩形状のシート状に形成したものである。また、表側の表面にはクレープ調（シボ状）の凹凸模様１１ａを形成すると共に、裏側の表面には縦溝と横溝を組み合わせた格子状の凹凸模様１１ｂを形成して、当該浴槽用シート１０の表面積を大きく設定している。なお、ゴム材に代えて樹脂材などの他の高分子ポリマーを使用することもできる。
【００２４】
この浴槽用シート１０は、ジルコン（白色系遠赤外線放射材料）の粉末と、モナザイト（遠赤外線放射エネルギー源となる放射性鉱物で、酸化トリウムを含有する放射線源材料）の粉末とを混合して焼成し、複合化した遠赤外線放射体の粉末を、ゴム材に混練りしてシート状に形成しているので、ジルコンから放出される遠赤外線と、モナザイトに含有された酸化トリウムのトリウム元素が放出するトロンによって温浴効果を高めることができる。
【００２５】
すなわち、ジルコン（遠赤外線放射線材料）に、モナザイトに含まれるトリウムの放射性崩壊によって放出される放射線（特にα線）のエネルギーが吸収されて、当該遠赤外線の励起エネルギーとなり、大量の遠赤外線が放射される。従って、遠赤外線の持つ温熱効果によって血行が促進されて身体が芯まで温められ、温浴効果がより高められる。
【００２６】
また、浴槽１の温水Ｗは、通常の水と同様に、その水分子がクラスターと呼ばれる多数の水分子の集合体として存在しており、これに遠赤外線が照射されると当該クラスターが小さくなって、表面張力の減少、浸透圧の増加、水素イオン濃度の弱アルカリ移行などが行われ、血行の促進がさらに図られる。これによって、温浴効果がさらに高められる。また、遠赤外線によって、浴槽１の温水Ｗの浄化も行われるので、これも温浴効果の増進に役立つ。
【００２７】
さらに、モナザイトに含まれる酸化トリウムのトリウム元素が放出するトロンの作用によって浴槽１の温水Ｗは大量のミネラルを含んだいわゆるトロン湯となる。このトロン湯は、身体の隅々まで温めて優れた温浴効果を促進するので、神経痛、肩こり、冷え性、痔、腰痛、うちみ、しもやけ、疲労回復などに効くといった温浴効果を発揮する。また、このトロン湯は、人体の痛みを和らげるといった温浴効果も併せて発揮する。
【００２８】
なお、本考案に係る浴槽用シート１０は、上記実施形態に示すものに限定されるものではなく、図３に示すように、その表側と裏側の両表面にクレープ調または三角ピラミッド調の凹凸模様１１ａを形成し、パンチング等によって複数の貫通孔１３を表裏方向に形成することもできる。さらに、図４に示すように、少なくとも裏側の表面にバフなどの処理を施して荒れた状態の粗目模様１２を形成することもできる。
【００２９】
これにより、より広い面積を浴槽１の温水Ｗに接触させることができるので、より大量の遠赤外線とトロンを浴槽１の温水Ｗに放出することができ、温浴効果をさらに高めることができる。また、貫通孔１３は、浴槽１の温水Ｗが当該貫通孔１３を通過して対流するのを許容するので、効果的にその表面を浴槽１の温水Ｗに接触させることができる。よって、より大量の遠赤外線とトロンを浴槽１の温水Ｗに放出して、温浴効果を高めることができる。
【００３０】
またシートを発泡形成すれば、気泡によって肌触りを向上し、温浴効果を一層高めることが出来る。
【００３１】
なお、上記実施形態における浴槽用シート１０は平面矩形状に形成しているが、本考案はこれに限定されるものではなく、円形、楕円形などあらゆる形状に設定することができる。また、その大きさや肉厚も限定されない。
【産業上の利用可能性】
【００３２】
この浴槽用シートの構成は、その請求項１〜５の構成内容で手首サポーター，靴の中敷，座シート，ひざ痛防止パッド，肩当てシート，腰痛防止シート，ベスト等身体の健康促進用の素材として利用することが考えられ、伸縮布等の組合せで各用途目的に応じた形状に構成し、利用することが考えられる。
【図面の簡単な説明】
【００３３】
【図１】本考案の実施形態に係る浴槽用シートを浴槽に浸した状態を示す斜視図である。
【図２】図１に示す浴槽用シートを示すもので、（ａ）はその表側を示す斜視図であり、（ｂ）は裏側を示す斜視図である。
【図３】本考案の他の実施形態に係る浴槽用シートを示す斜視図である。
【図４】本考案のさらに他の実施形態に係る浴槽用シートを示す斜視図である。
【符号の説明】
【００３４】
１        浴槽
１０      浴槽用シート
１１      凹凸模様
１１ａ    凹凸模様（クレープ調、三角ピラミッド調）
１１ｂ    凹凸模様（格子状）
１２      粗目模様
１３      貫通孔
Ｗ        温水
【図１】
0003121044.tif 000003
【図２】
0003121044.tif 000004
【図３】
0003121044.tif 000005
【図４】
0003121044.tif 000006